【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
多重露光中に、撮像面上に結像された被写体像に対して、複数回の露光時にそれぞれ画像データを取得する撮像部と、
上記撮像面上に静止している被写体像と、上記撮像面上を移動する被写体像を認識する被写体認識部と、
上記被写体認識部によって認識された上記移動する被写体像に対して、撮像面での位置ずれとなる移動量および移動方向を検出する画像シフト量検出部と、
上記被写体認識部が上記撮像面上に静止している被写体像と認識した場合には、それぞれの画像データを加算合成による合成処理を行い、上記被写体認識部が上記撮像面上を移動する被写体像と認識した場合には、上記画像シフト量検出部によって検出された上記移動量および移動方向に基づいて、上記移動する被写体像の位置ずれを補正した後、該補正したそれぞれの画像データを比較明合成または加算平均合成により合成処理を行い、多重露光の撮影画像データを生成する画像合成部と、
を備えたことを特徴とする撮像装置。
【請求項２】
移動被写体を追尾する追尾部を備え、
上記撮像部は、上記追尾部により移動する被写体を追尾しながら上記多重露光を行うことを特徴とする請求項１に記載の撮像装置。
【請求項３】
上記追尾部は、撮像装置全体をシフトして上記被写体を追尾することを特徴とする請求項２に記載の撮像装置。
【請求項４】
撮像装置の撮影時の緯度情報、方位情報、重力方向に対する向き、焦点距離、および撮影装置をシフトさせる駆動装置の駆動情報を用いて、上記移動する被写体像の位置ずれ量を算出し、該算出した位置ずれ量を用いて、上記位置ずれを補正することを特徴とする請求項３に記載の撮像装置。
【請求項５】
上記追尾部は、撮像素子をシフトして上記被写体を追尾することを特徴とする請求項２に記載の撮像装置。
【請求項６】
上記撮像素子のシフト情報を基に上記移動する被写体像の位置ずれを補正することを特徴とする請求項５に記載の撮像装置。
【請求項７】
撮像面上に静止した被写体像と撮像面上を移動する被写体像が混在した被写体像を多重露光して得られた画像データを記録する記録部と、
上記撮像面上に静止している被写体像と、上記撮像面上を移動する被写体像を認識する被写体認識部と、
上記被写体認識部によって認識された上記移動する被写体像に対して、撮像面での位置ずれとなる移動量および移動方向を検出する画像シフト量検出部と、
上記被写体認識部が上記撮像面上に静止している被写体像と認識した場合には、それぞれの画像データを加算合成による合成処理を行い、上記被写体認識部が上記撮像面上を移動する被写体像と認識した場合には、上記画像シフト量検出部によって検出された上記移動量および移動方向に基づいて、上記移動する被写体像の位置ずれを補正した後、該補正したそれぞれの画像データを比較明合成または加算平均合成により合成処理を行い、多重露光の撮影画像データを生成する画像合成部と、
を備えたことを特徴とする画像処理装置。
【請求項８】
撮像面上に静止した被写体像と撮像面上を移動する被写体像が混在した被写体像を多重露光して得られた画像データを記録するステップと、
上記撮像面上に静止している被写体像と、上記撮像面上を移動する被写体像を認識する被写体認識ステップと、
上記被写体認識ステップにおいて認識された上記移動する被写体像に対して、撮像面での位置ずれとなる移動量および移動方向を検出する画像シフト量検出ステップと、
上記被写体認識ステップにおいて上記撮像面上に静止している被写体像と認識した場合には、それぞれの画像データを加算合成による合成処理を行い、上記被写体認識ステップにおいて上記撮像面上を移動する被写体像と認識した場合には、上記画像シフト量検出ステップにおいて検出された上記移動量および移動方向に基づいて、上記移動する被写体像の位置ずれを補正した後、該補正したそれぞれの画像データを比較明合成または加算平均合成により合成処理を行い、多重露光の撮影画像データを生成する画像合成ステップと、
を有することを特徴とする画像処理方法。
【手続補正２】
【補正対象書類名】明細書
【補正対象項目名】００１１
【補正方法】変更
【補正の内容】
【００１１】
上記目的を達成するため第１の発明に係る撮像装置は、多重露光中に、撮像面上に結像された被写体像に対して、複数回の露光時にそれぞれ画像データを取得する撮像部と、上記撮像面上に静止している被写体像と、上記撮像面上を移動する被写体像を認識する被写体認識部と、上記被写体認識部によって認識された上記移動する被写体像に対して、撮像面での位置ずれとなる移動量および移動方向を検出する画像シフト量検出部と、上記被写体認識部が上記撮像面上に静止している被写体像と認識した場合には、それぞれの画像データを加算合成による合成処理を行い、上記被写体認識部が上記撮像面上を移動する被写体像と認識した場合には、上記画像シフト量検出部によって検出された上記移動量および移動方向に基づいて、上記移動する被写体像の位置ずれを補正した後、該補正したそれぞれの画像データを比較明合成または加算平均合成により合成処理を行い、多重露光の撮影画像データを生成する画像合成部と、を備える。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
第７の発明に係る画像処理装置は、撮像面上に静止した被写体像と撮像面上を移動する被写体像が混在した被写体像を多重露光して得られた画像データを記録する記録部と、上記撮像面上に静止している被写体像と、上記撮像面上を移動する被写体像を認識する被写体認識部と、上記被写体認識部によって認識された上記移動する被写体像に対して、撮像面での位置ずれとなる移動量および移動方向を検出する画像シフト量検出部と、上記被写体認識部が上記撮像面上に静止している被写体像と認識した場合には、それぞれの画像データを加算合成による合成処理を行い、上記被写体認識部が上記撮像面上を移動する被写体像と認識した場合には、上記画像シフト量検出部によって検出された上記移動量および移動方向に基づいて、上記移動する被写体像の位置ずれを補正した後、該補正したそれぞれの画像データを比較明合成または加算平均合成により合成処理を行い、多重露光の撮影画像データを生成する画像合成部と、を備える。
【手続補正５】
【補正対象書類名】明細書
【補正対象項目名】００１７
【補正方法】変更
【補正の内容】
【００１７】
第８の発明に係る画像処理方法は、撮像面上に静止した被写体像と撮像面上を移動する被写体像が混在した被写体像を多重露光して得られた画像データを記録するステップと、上記撮像面上に静止している被写体像と、上記撮像面上を移動する被写体像を認識する被写体認識ステップと、上記被写体認識ステップにおいて認識された上記移動する被写体像に対して、撮像面での位置ずれとなる移動量および移動方向を検出する画像シフト量検出ステップと、上記被写体認識ステップにおいて上記撮像面上に静止している被写体像と認識した場合には、それぞれの画像データを加算合成による合成処理を行い、上記被写体認識ステップにおいて上記撮像面上を移動する被写体像と認識した場合には、上記画像シフト量検出ステップにおいて検出された上記移動量および移動方向に基づいて、上記移動する被写体像の位置ずれを補正した後、該補正したそれぞれの画像データを比較明合成または加算平均合成により合成処理を行い、多重露光の撮影画像データを生成する画像合成ステップと、を有する。